(57)【特許請求の範囲】
【請求項１】
回転ブラシと、前記回転ブラシを駆動する電動機とが内蔵され、下面に吸込口を有する電気掃除機の床ブラシにおいて、
前記床ブラシの底部には、前記床ブラシを持ち上げたり、ひっくり返した時に、前記電動機を停止して回転ブラシが回転しないように制御する安全装置が設けられており、
前記安全装置は、前記床ブラシが床面に載置されていないと、底部から突出して前記電動機の回転を停止させる車輪、車軸及び軸受けからなる突出部分を有し、
前記軸受けの外側側面に斜面が形成されていることを特徴とする電気掃除機の床ブラシ。
【発明の詳細な説明】
【０００１】
【発明の属する技術分野】
本発明は電気掃除機の床ブラシの構造に関するものである。
【０００２】
【従来の技術】
従来の電気掃除機の床ブラシは、底部に安全装置を設け、床ブラシを持ち上げたり、ひっくり返したりした時に回転ブラシが回転しないように制御されている（例えば、特許文献１参照。）。
【０００３】
【特許文献１】
特開平７−６７８１４号公報（第３−４頁、第１、５、６図）
【０００４】
【発明が解決しようとする課題】
従来の電気掃除機の床ブラシでは、底部に設けた安全装置が障害物に当たると破損しやすいという恐れがあった。
【０００５】
本発明は、このような問題点を解決するためになされたものであり、安全装置が障害物に当たっても破損し難い電気掃除機の床ブラシを提供することを目的とする。
【０００６】
【課題を解決するための手段】
この発明は、回転ブラシと、回転ブラシを駆動する電動機とが内蔵され、下面に吸込口を有する電気掃除機の床ブラシにおいて、床ブラシの底部には、床ブラシを持ち上げたり、ひっくり返した時に、電動機を停止して回転ブラシが回転しないように制御する安全装置が設けられており、安全装置は、床ブラシが床面に載置されていないと、底部から突出して電動機の回転を停止させる車輪、車軸及び軸受けからなる突出部分を有し、軸受けの外側側面に斜面が形成されているものである。
【０００７】
【発明の実施の形態】
実施の形態１．
図１は本発明の実施の形態１である電気掃除機の床ブラシを示す縦断面図、図２は同床ブラシを示す斜視図、図３は連結管の分解図、図４は連結管の斜視図、図５は接続管の分解図、図６は床ブラシの底面図、図７は床ブラシの安全装置の動作を示す説明図、図８は連通管の回動面を示す下面図である。
【０００８】
図において、１は下面に吸込口（図示せず）を有し、回転ブラシ（図示せず）や回転ブラシを駆動する電動機（図示せず）を内蔵した電気掃除機の床ブラシであり、後輪１ａ、前輪１ｂが設けられている。２は床ブラシ１に上下方向に回動可能に接続され、他端部には屈曲部２ａが形成されている連通管である。また、連通管２の床ブラシ１側には吸込口と連通する開口部２ｂが形成され、屈曲部２ａ側には連結部２ｃが設けられている。３は連通管２の上面に設けられた連通管カバー、４は連通管カバー３を取り付けた時に形成される空間であり、連通管２に連通管カバー３を取り付けた時に屈曲部２ａ付近が空間４を介して二重構造となるようにそれぞれ構成されている。図３に示すとおり、連通管２に連通管カバー３を取り付けた時、連通管２の壁Ｙと連通管カバー３の壁ｙが当接し、壁Ｘと壁ｘがそれぞれ当接するように形成されている。５は連通管２に対して周方向に回転可能に接続され端部５ａに吸気パイプ（図示せず）が接続する接続管であり、連通管２側には屈曲部５ｂが形成されている。６は接続管５の外周面に設けられた接続部であり、床ブラシ１内の電動機などの電気部品に給電する導電体であるリード線７の端子部８が配置される。９は接続管５の上面に設けられ、リード線７、端子部８を覆うように設けられた接続管カバーであり、ネジ１０により接続管５に固定されている。接続管カバー９を接続管５に取り付けると、空間４と連通する空間４Ａが形成され、空間４と空間４Ａとの連結部分の開口角度は接続管５の回動可能な角度（本実施の形態では１８０°）に応じて形成される。
【０００９】
１１は連通管２に設けられたストッパー、１２は接続管５に設けられたストッパーであり、ストッパー１１、１２により接続管５の回転動作が規制される。ストッパー１１、１２は連通管２と接続管５の回動面Ａ近傍で、なおかつリード線７に触れて断線させてしまうことがない位置に設けられている。１３は連通管２の連結部２ｃに設けられた補強リブであり、掃除中に障害物に当たってしまった場合、連通管カバー３の変形を防止する補強用に設けられている。また、連通管２と接続管５の回動面Ａは床面１４に対して斜めであり、かつ接続管５の軸線Ｂと平行に形成されている。また、掃除中に床面を傷つけないように、床面１４と接続管５の底面との間には所定の距離Ｅが保てるように連通管２と接続管５は接続される。
【００１０】
１５は床ブラシ１の底部に設けた安全装置であり、床ブラシ１を持ち上げたり、ひっくり返したりした時に、電動機が停止して回転ブラシが回転しないように制御する装置である。安全装置１５は車輪１６、車軸１７、斜面を有する軸受け１８、バネ、鉄球等で構成され、図７に示すとおり、床面１４に載置されていないと、床面側に突出し、床ブラシ１内の電動機の回転を停止させる。また、軸受け１８には斜面が形成されているので、安全装置１５の横に障害物が当たっても障害物に引っかからずに跳ね上がり、破損しないようになっている。
【００１１】
次に、実施形態１の電気掃除機の使用方法について説明する。
従来例と同様、電気掃除機の使用者が手元操作部を持って床ブラシ１を往復動作させる場合、連通管２が床面に対して斜め上方にある角度の傾きをもって使用される。また、床ブラシ１の前面を往復動させて掃除をし、例えばその床ブラシ１の左側面が壁際にきた場合は、壁際の床面を十分な吸引力で掃除するためには床ブラシ１の前面を壁際に押し当て床ブラシ１を壁際と平行に動かすことが望ましいので、手元操作部を吸気パイプの軸線を中心とした左回転の捻りを加える。そうすると、吸気パイプと一体の接続管５に対して連通管２が左側に回動すると共に、床ブラシ１に対して連通管２が上方に回動し、連続管５と連通管２の回動面Ａが床面１４に対して変化し、床ブラシ１の前面が吸気パイプの左側に位置して接続管５の軸線Ｂと平行になる。
【００１２】
また、床ブラシ１の右側面が壁際にきたときには、手元操作部を右回転の捻りを加えれば、接続管５に対して連通管２が右側に回動し、最終的に接続管５と連通管２の回動面Ａが完全に床面に対し垂直となり、床ブラシ１の前面が吸気パイプの右側に位置して接続管５の軸線Ｂと平行になる。
【００１３】
この動作により、使用者は移動しなくてすみ、また床ブラシ１の進行方向と接続管５の軸線方向が一致するために力が逃げる恐れもなく、操作が容易で効率よく壁際を掃除することができる。
【００１４】
床ブラシ１の吸込口と連通する開口部２ｂから吸引された塵埃を含む空気の流れは図１中の矢印で示すとおり、連通管２の屈曲部２ａにぶつかり、強制的に曲げられて接続管５を介して掃除機本体へと吸引される。連通管２の屈曲部２ａに空気がぶつかると風音が発生するが、実施形態１では、屈曲部２ａを二重構造としているので、空間４により発生した風音は軽減する。二重構造を主に屈曲部２ａ外周に構成することで、高さ方向に無駄なスペースを設けずにかつ消音効果も得られる。
【００１５】
なお、実施形態１では床ブラシ１に電気部品などを備えた電気掃除機について説明したが、電気部品を備えていないものについても同様の効果を得ることができる。
【００１６】
また、連通管２と接続管５の風路内境界部分において、連通管２端部の形状は均一ではなく、摺動角度に対してＲ付けしている。つまり、図８に示すように、連通管２の接続部２ｃの構成をａの部分でＲ構造とし、ｂの部分でエッジ構造（または小さなＲ構造）とし、ａとｂの間は滑らかに変化するように形成している。この構成により消音効果がさらに向上することは実験により明らかである。
【００１７】
【発明の効果】
以上のように本発明によれば、突出部分の軸受けの外側側面に斜面が形成されているので、その斜面に障害物が当たっても引っかからずに跳ね上がり、突出部分の破損を防止するという効果がある。
【図面の簡単な説明】
【図１】  本発明の実施の形態１である電気掃除機の床ブラシを示す縦断面図である。
【図２】  本発明の実施の形態１である床ブラシを示す斜視図である。
【図３】  本発明の実施の形態１である床ブラシの連結管を示す分解図である。
【図４】  本発明の実施の形態１である床ブラシの連結管を示す斜視図である。
【図５】  本発明の実施の形態１である床ブラシの接続管の分解図である。
【図６】  本発明の実施の形態１である床ブラシの底面図である。
【図７】  本発明の実施の形態１である床ブラシの安全装置を示す説明図である。
【図８】  連通管の回動面を示す下面図である。
【符号の説明】
１  床ブラシ、２  連通管、２ａ  屈曲部、２ｂ  開口部、２ｃ  連結部、
３  連通管カバー、４  空間、４Ａ  空間、５  接続管、５ａ  端部、
５ｂ  屈曲部、６  接続部、７  リード線、８  端子部、９  接続管カバー、
１４  床面、１５  安全装置、１６  車輪、１７  車軸、１８  軸受け。
【図１】
0004221702.tif 000002
【図２】
0004221702.tif 000003
【図３】
0004221702.tif 000004
【図４】
0004221702.tif 000005
【図５】
0004221702.tif 000006
【図６】
0004221702.tif 000007
【図７】
0004221702.tif 000008
【図８】
0004221702.tif 000009